(57)【要約】【課題】  放送局などの放送ソースの増加と、放送されるテレビ番組の多様化により、嗜好する番組の放送時間と放送局の選局が困難になっている。本発明は、電子化された番組表を用いて、ユーザが視聴したいと思う番組が選択され、その放送時間ごとに放送する放送局の選局を容易にすることを目的とする。【解決手段】  電子番組表から、過去の放送番組の視聴傾向に基づいた視聴予測情報に基づいて視聴が予測される番組を抽出し、その番組の放送時刻ごとにその番組を放送する放送局の選局情報を対応付けた予測視聴番組スケジュールを作成し、この予測視聴番組スケジュールと電子番組表の情報から、放送時刻と前記スケジュールにより選択した放送局を軸とする番組表を作成するよう構成する。【選択図】  図３
2009165059.tif 000002
【特許請求の範囲】
【請求項１】
電子番組表に基づいて放送番組を視聴する番組視聴装置の番組視聴方法であって、
電子番組表を取得し、
当該番組視聴装置における前記放送番組の視聴傾向に基づいた視聴予測情報に基づき、この視聴予測情報に当てはまる番組を、前記電子番組表から抽出し、
その番組の放送時刻ごとにその番組を放送する放送局の選局情報を対応付けた予測視聴番組スケジュールを作成し、
この予測視聴番組スケジュールと前記電子番組表から、放送時刻と前記スケジュールにより選択した放送局を軸とする番組表を作成し、
前記番組表を表示する旨の指示があった場合、前記番組表を表示する
ことを特徴とする番組視聴方法。
【請求項２】
前記番組表に含まれる期間は、前記予測視聴番組スケジュールに含まれる期間よりも短い期間作成されることを特徴とする請求項１に記載の番組視聴方法。
【請求項３】
（番組表は電源オフされる際に作成）
前記予測視聴番組スケジュールと前記番組表は、当該番組視聴装置の使用を終了する際に作成されることを特徴とする請求項１に記載の番組視聴方法。
【請求項４】
当該番組視聴装置の使用が開始される際、
前記予測視聴番組スケジュールの現在の時刻に対応付けられた選局情報によって識別される放送局が放送中の番組を表示する
ことを特徴とする請求項１に記載の番組視聴方法。
【請求項５】
前記電子番組表から番組を抽出する際、前記視聴予測情報に当てはまる度合いに応じて複数の候補を抽出し、
この複数の候補の前記度合いに応じた優先度を前記選局情報別に、前記番組表に含まれる期間に渡って集計し、優先度の高い選局情報についての前記番組表を作成する
ことを特徴とする請求項１に記載の番組視聴方法。
【請求項６】
電子番組表に基づいて放送番組を視聴する番組視聴装置において、
電子番組表を取得する取得手段と、
取得した前記電子番組表を記憶する番組情報データベースと、
当該番組視聴装置における前記放送番組の視聴傾向に基づいた視聴予測情報を記憶した予測情報データベースと、
前記予想情報データベースに記憶した前記視聴予測情報に当てはまる番組を、前記番組情報データベースに記憶された電子番組表から抽出し、その番組の放送時刻ごとにその番組を放送する放送局の選局情報を対応付けた予測視聴番組スケジュールを作成する予測視聴番組作成手段と、
前記予測視聴番組スケジュールと前記電子番組表から、放送時刻と前記スケジュールにより選択した放送局を軸とする番組表を作成する番組表作成手段と、
前記番組表を表示する旨の指示があった場合、前記番組表を表示する表示手段と
を具備したことを特徴とする番組視聴装置。
【請求項７】
前記番組表作成手段が作成する番組表に含まれる期間は、前記予測視聴番組作成手段が作成する予測視聴番組スケジュールに含まれる期間よりも短いことを特徴とする、請求項６に記載の番組視聴装置。
【請求項８】
前記予測視聴番組作成手段による前記予測視聴番組スケジュールと、前記番組表作成手段による前記番組表は、
当該番組視聴装置の使用を終了する際に作成されることを特徴とする請求項６に記載の番組視聴装置。
【請求項９】
当該番組視聴装置の使用が開始される際、
前記表示手段は、前記予測視聴番組スケジュールの現在の時刻に対応付けられた選局情報によって識別される放送局が放送中の番組を表示する
ことを特徴とする請求項６に記載の番組視聴装置。
【請求項１０】
前記予測視聴番組作成手段は、前記電子番組表から番組を抽出する際、前記視聴予測情報に当てはまる度合いに応じて複数の候補を抽出し、
前記番組表作成手段は、この複数の候補の前記度合いに応じた優先度を前記選局情報別に、前記番組表に含まれる期間に渡って集計し、優先度の高い選局情報についての前記番組表を作成する
ことを特徴とする請求項６に記載の番組視聴装置。
【請求項１１】
電子番組表に基づいて放送番組を視聴する番組視聴システムであって、
電子番組表を提供するサーバと、
電子番組表を取得する取得手段、
取得した前記電子番組表を記憶する番組情報データベース、
当該番組視聴装置における前記放送番組の視聴傾向に基づいた視聴予測情報を記憶した予測情報データベース、
前記予想情報データベースに記憶した前記視聴予測情報に当てはまる番組を、前記番組情報データベースに記憶された電子番組表から抽出し、その番組の放送時刻ごとにその番組を放送する放送局の選局情報を対応付けた予測視聴番組スケジュールを作成する予測視聴番組作成手段、
前記予測視聴番組スケジュールと前記電子番組表から、放送時刻と前記スケジュールにより選択した放送局を軸とする番組表を作成する番組表作成手段、
前記番組表を表示する旨の指示があった場合、前記番組表を表示する表示手段
を有する番組視聴装置と、
を具備したことを特徴とする番組視聴システム。
【発明の詳細な説明】
【技術分野】
【０００１】
本発明は、外部から取得した番組情報を用いて所望の番組を視聴する方法に関し、特にユーザの視聴傾向に基づいた視聴を容易とする視聴方法、番組視聴装置および番組視聴システムに関する。
【背景技術】
【０００２】
テレビ放送がデジタル化されるなど、テレビの視聴方法が変化している。放送番組の情報（番組表）も放送波やインターネットを介して自動的に取得できるようになってきている。
【０００３】
しかしながら、これらの番組表は従来の番組一覧に準じたものであって、シリーズ物の番組予約をのぞきユーザが見たいと思う番組が優先的に視聴できるようにはなっていない。
【０００４】
番組表が電子化されることを利用して、ジャンルコードなどのキーワード検索により自動選局を行う方法が提案されている（特許文献１を参照）。
【特許文献１】特開２００３−２７４２９８号公報
【発明の開示】
【発明が解決しようとする課題】
【０００５】
放送局などの放送ソースの増加と、放送されるテレビ番組の多様化により、嗜好する番組の放送時間と放送局の選局が困難になっている。
【０００６】
本発明は上記のような問題に鑑みてなされたもので、電子化された番組表を用いて、ユーザが視聴したいと思う番組が選択され、その放送時間ごとに放送する放送局の選局を容易にすることが可能な番組視聴方法および番組視聴視システムを提供する。
【課題を解決するための手段】
【０００７】
本発明にかかる番組視聴方法は、
電子番組表に基づいて放送番組を視聴する番組視聴装置の番組視聴方法であって、電子番組表を取得し、当該番組視聴装置における前記放送番組の視聴傾向に基づいた視聴予測情報に基づき、この視聴予測情報に当てはまる番組を、前記電子番組表から抽出し、その番組の放送時刻ごとにその番組を放送する放送局の選局情報を対応付けた予測視聴番組スケジュールを作成し、この予測視聴番組スケジュールと前記電子番組表から、放送時刻と前記スケジュールにより選択した放送局を軸とする番組表を作成し、前記番組表を表示する旨の指示があった場合、前記番組表を表示することを特徴とする。
【０００８】
また、本発明にかかる番組視聴装置とすれば、
電子番組表に基づいて放送番組を視聴する番組視聴装置において、電子番組表を取得する取得手段と、取得した前記電子番組表を記憶する番組情報データベースと、当該番組視聴装置における前記放送番組の視聴傾向に基づいた視聴予測情報を記憶した予測情報データベースと、前記予想情報データベースに記憶した前記視聴予測情報に当てはまる番組を、前記番組情報データベースに記憶された電子番組表から抽出し、その番組の放送時刻ごとにその番組を放送する放送局の選局情報を対応付けた予測視聴番組スケジュールを作成する予測視聴番組作成手段と、前記予測視聴番組スケジュールと前記電子番組表から、放送時刻と前記スケジュールにより選択した放送局を軸とする番組表を作成する番組表作成手段と、前記番組表を表示する旨の指示があった場合、前記番組表を表示する表示手段とを具備したことを特徴とする番組視聴装置が提供される。
【０００９】
また、本発明にかかる番組視聴システムとすれば、
電子番組表に基づいて放送番組を視聴する番組視聴システムであって、電子番組表を提供するサーバと、電子番組表を取得する取得手段、取得した前記電子番組表を記憶する番組情報データベース、当該番組視聴装置における前記放送番組の視聴傾向に基づいた視聴予測情報を記憶した予測情報データベース、前記予想情報データベースに記憶した前記視聴予測情報に当てはまる番組を、前記番組情報データベースに記憶された電子番組表から抽出し、その番組の放送時刻ごとにその番組を放送する放送局の選局情報を対応付けた予測視聴番組スケジュールを作成する予測視聴番組作成手段、前記予測視聴番組スケジュールと前記電子番組表から、放送時刻と前記スケジュールにより選択した放送局を軸とする番組表を作成する番組表作成手段、前記番組表を表示する旨の指示があった場合、前記番組表を表示する表示手段を有する番組視聴装置と、を具備したことを特徴とする番組視聴システムが提供される。
【発明の効果】
【００１０】
電子化された番組表を用いて、ユーザが視聴したいと思う番組が選択され、その放送時間ごとに放送する放送局の選局を容易にすることが可能な番組視聴方法および番組視聴視システムが提供される。
【発明を実施するための最良の形態】
【００１１】
（本実施形態）
図１は、本実施形態にかかる番組視聴システムの一例を示す図である。図１では、番組視聴装置１００、電子番組表サーバ１０１およびネットワーク１０２が示されている。
【００１２】
番組視聴装置１００は、たとえばテレビやビデオデッキのように放送番組を放送局ごとに受信する機能を有する。本実施形態では、外部から提供される電子番組表を取得して、その番組表情報に基づいて複数の放送局から放送番組を受信することが可能なテレビ装置を示している。
【００１３】
電子番組表サーバ１０１は、番組視聴装置１００に対し電子番組表情報を提供する機能を備える。電子番組表サーバ１０１が提供する電子番組表情報には、番組名とそれを放送する放送局の識別と放送時間が含まれ、さらにその番組に関連する様々な情報も付加される。ここで言う関連する様々な情報とは、たとえばその番組のジャンル（報道、バラエティ、映画、ドラマ、アニメ、e.t.c.）や出演者名、ストーリ紹介などが考えられる。電子番組表サーバ１０１が提供する電子番組表情報は、情報提供を業務とする業者などの第三者によって不特定多数のユーザ向けに適宜更新がされるものとする。
【００１４】
ネットワーク１０２は、たとえばインターネットであり、あるいは放送波に上述の電子番組表情報を重畳させて伝送する場合には放送波自体が該当する。ネットワーク１０２に用いることができる通信媒体は、情報視聴装置１００に電子番組表サーバ１０１から適切なタイミングで番組表情報が送り届けられる限り、どのような通信媒体であってもかまわない。
【００１５】
図２は、本実施形態にかかる番組視聴装置のブロック構成図の一例を示す図である。図２には、チューナ部２００、復調部２０１、ＤＥＭＵＸ２０２、デコーダ部２０３、映像処理部２０４、表示部２０５、制御部２０６およびメモリ２０７が示されている。
【００１６】
チューナ部２００は、受信した放送波の中から目的とする放送局の電波を抽出（チューニング）する機能を備えている。
【００１７】
復調部２０１は、チューナ部２００で抽出した放送局の電波信号からデジタル信号化する機能を備える。デジタル放送で配信される番組の場合は、電波信号（アナログ情報）から符号化信号（デジタル情報）への変換が必要となる。
【００１８】
ＤＥＭＵＸ２０２は、デジタル化された番組情報に含まれる映像データや音声データを分離する機能を備える。放送波には通常、映像データと音声データおよび付加的なデータがまとめて伝送されるため、ＤＥＭＵＸ２０２は必要に応じてそれらのデータを分離し、以降の処理部に受け渡す。
【００１９】
デコーダ部２０３は、ＤＥＭＵＸ２０２で分離された映像データを映像イメージに変換する機能を有する。放送波で伝送される映像は伝送量を減らすために圧縮符号化が施されるよう規格化されている。これを実際に視聴可能な映像イメージに伸張し、動画像情報に変換している。
【００２０】
映像処理部２０４は、デコーダ部２０３で映像イメージに変換された映像信号を、番組視聴装置１００で視聴する際の画面表示となるように処理する機能を備える。たとえば、視聴中のチャンネルや番組名の表示、音量レベルの表示、および取得した電子番組表を映像イメージにオーバーラップさせて表示するなどの映像データの各種加工を行う。
【００２１】
表示部２０５は、たとえば番組視聴装置１００に備えられたＬＣＤ（Liquid Crystal Display）やＣＲＴ（Cathode Ray Tube）などを指す。映像処理部２０４で加工された映像イメージをユーザに見えるように表示する機能を備える。
【００２２】
制御部２０６は、番組視聴装置１００の全体を制御する機能を有する。特に、チューナ部２００に対してどの放送局を選択抽出するかの指示を行うとともに、番組表やチャンネル、時刻等の画面に重畳して表示するイメージを作成する。作成したイメージは映像処理部２０４で重畳され、表示部２０５に表示される。
【００２３】
メモリ２０７は、主に半導体記憶素子から構成され、制御部２０６がデータの一時保管に使用する。電子番組表情報もここに格納される。
【００２４】
図３は、本実施形態にかかる番組視聴装置の機能ブロック図の一例を示す図である。図３には、プログラム起動部３００、番組情報更新部３０１、番組情報データベース３０２、予測情報データベース３０３、予測視聴検索エンジン部３０４、予測視聴番組スケジュール３０５およびクイック番組表描画エンジン部３０６が示されている。
【００２５】
プログラム起動部３００は、必要に応じて所定のプログラムを起動する機能を備えている。たとえばプログラム起動部３００により、番組情報更新部３０１や予測視聴検索エンジン部３０４を構成するプログラムを起動することで、所望のタイミングでそれぞれの機能を実行することができる。
【００２６】
番組情報更新部３０１は、外部の電子番組表サーバ１０１から電子番組表を取得し、メモリ２０７上に格納した番組表情報を更新する機能を有する。番組表情報は、電子番組表サーバ１０１からインターネットを経由して取得しても良いし、放送局が放送波に重畳して送ってくる情報を受信し番組表として取得するようにしても良い。
【００２７】
番組情報データベース３０２は、電子番組表が格納されているデータベースである。本実施形態ではメモリ２０７上に構成される。番組情報データベース３０２の電子番組表は、配信された全ての番組についての番組表が格納される。
【００２８】
予測情報データベース３０３は、あるユーザがどのような番組を視聴するかを予測するための情報が格納されたデータベースである。予測のための情報とは、たとえばそのユーザの視聴時間帯、ある番組の視聴頻度、ジャンルごとの視聴傾向あるいはあらかじめ選定したキーワードなどが考えられる。視聴頻度の高いシリーズ物の番組や、視聴傾向の高いジャンル（たとえばスポーツ中継など）は、視聴したい番組である可能性が高いと考えられる。また、キーワードにユーザが視聴を好む単語等を選定しておけば、電子番組表の番組内容の説明にそのキーワードが含まれるか否かを見て視聴予測に用いることもできる。予測情報データベース３０３は、メモリ２０７上に構成される。
【００２９】
予測視聴検索エンジン部３０４は、曜日や時間帯を入力するとその期間について放送局の選局情報を出力する機能を備えている。選局情報の出力には、番組情報データベース３０２に格納した電子番組表情報と予測情報データベース３０３の内容が参照される。このとき、その曜日の指定の期間の間に放送局が放送する複数の番組について、時間ごとに予測情報データベース３０３に格納した情報に沿う番組を選定し、それを放送する放送局をその時間帯の視聴候補として選択する。
【００３０】
予測視聴番組スケジュール３０５は、予測視聴検索エンジン部３０４の出力を時間帯に分けて格納したものである。
【００３１】
クイック番組表描画エンジン３０６は、クイック番組表表示の指示があった際に表示部２０５に表示する画面を作成する。このとき予測視聴番組スケジュール３０５のある時間帯について視聴候補に選定された放送局が放送する番組情報を番組情報データベース３０２から取得し、所定期間における時間帯別の番組名による番組表を作成する。
【００３２】
図４は、本実施形態にかかる予測視聴番組スケジュール３０５の内容の一例を示す図である。予測視聴番組スケジュール３０５では、時間帯ごとに放送局に割り当てられたチャンネルの選局情報が格納される。本実施形態では予測視聴検索エンジン部３０４が予測情報データベース３０３に基づいて第４予測までの予測データを格納している例を示している。第１予測に挙げられた時間帯ごとの放送局が放送する番組の方が、よりユーザの視聴傾向に合致していると判断される。第４予測のように複数の予測を提示することで、ユーザの嗜好に、より近いものを複数保持しておくことができる。
【００３３】
また、所定期間（Ｔｓｃｈ）はここでは１日（２４時間）、時間帯の刻みは１０分としているが、好適にはユーザの嗜好や番組の放送形態によって適切な範囲を設定できるのが望ましい。
【００３４】
図５は、本実施形態にかかるクイック番組表４００の一例を示す図である。クイック番組表４００は予測視聴番組スケジュール３０５とは違い、放送局が横軸に並んだ番組表である。このため所定期間（Ｔｅｐｇ）についてクイック番組表を作成する場合、時間帯ごとに予測した選局情報が変わる可能性が高く、単純に第１予測の放送局から順に番組表に組み入れるだけでは作成できない。
【００３５】
たとえば、第１予測に選定された選局情報が優先されるよう順に重み付けをし、Ｔｅｐｇの全期間で選局情報を集計する方法が考えられる。集計の結果、上位に位置した放送局を含むようにクイック番組表４００を作成するようにすれば、視聴が予測される番組を最大限クイック番組表４００に反映させることができる。
【００３６】
通常、ＴｅｐｇはＴｓｃｈよりも短い時間が当てられる。ここでは予測視聴番組スケジュール３０５の所定期間（Ｔｓｃｈ）が２４時間であるのに対し、６時間としたときの例を示す。
【００３７】
図６は、本実施形態にかかる番組視聴装置１００の電源オフ時の動作フローの一例を示す図である。
【００３８】
番組を視聴中にユーザから電源オフの指示があった場合、予測視聴番組スケジュール３０５が作成されているか否かを判定する（ステップＳ０１）。すでに所定期間のスケジュールが作成済みの場合（Ｙｅｓ）には、ステップＳ０４に進む。
【００３９】
作成済みでない場合（Ｎｏ）には、番組情報データベース３０２の番組表情報を更新する（ステップＳ０２）。更新に際しては、プログラム起動部３００が番組情報更新部３０１を構成するプログラムを起動することで処理される。
【００４０】
次に、番組情報データベース３０２が最新に更新されたことを受けて予測視聴番組スケジュール３０５を作成する（ステップＳ０３）。この場合も、プログラム起動部３００が予測視聴検索エンジン部３０４を構成するプログラムを起動することで処理が開始される。
【００４１】
次に、クイック番組表描画エンジン部３０６が、番組情報データベース３０２と予測視聴番組スケジュール３０５を元にクイック番組表４００の表示イメージを作成する（ステップＳ０４）。
【００４２】
次に、番組視聴装置１００が再起動（リジューム）する時刻を計算し、その時刻に再度立ち上げがされるよう設定する（ステップＳ０５）。サスペンド／リジュームの方法は一般的な方法を用いて構成することができる。再起動する時刻は任意に設定してもかまわないが、好適にはクイック番組表４００の作成済み期間が経過する前の時刻とすれば適宜クイック番組表４００が更新された状態に保つことができる。
【００４３】
ステップＳ０５でリジューム時刻の設定が終わったところで、番組視聴装置１００のサスペンド状態に移行する（ステップＳ０６）。
【００４４】
図７は、本実施形態にかかる番組視聴装置１００の電源オン時の動作フローの一例を示す図である。
【００４５】
ユーザが番組視聴装置１００の電源オンが指示されると、ブートローダ（Boot loader）といった処理プログラムが起動される（ステップＳ１１）。
【００４６】
このとき、電源オンの指示が、ユーザがリモコン等を操作して指示したものか、電源オフ時に設定したリジュームによるものかを判定する（ステップＳ１２）。ユーザによる指示でなければ（Ｎｏ）、予測視聴番組スケジュール３０５を更新するためにステップＳ０１から実行する。
【００４７】
ユーザによる指示であれば（Ｙｅｓ）、次に現在の時刻を取得し（ステップＳ１３）、予測視聴番組スケジュール３０５の予測した当該時刻の選局情報を取得する（ステップＳ１４）。現在時刻の取得については、番組視聴装置１００に時計機能を内蔵し、制御部２０６から適宜読み出せるように構成する方法が考えられる。
【００４８】
次に、ステップＳ１４で取得した選局情報に基づいて、制御部２０６はチューナ部２００に選局を指示するとともに、以降の各構成部に映像出力できるように制御する（ステップＳ１５）。
【００４９】
次に、番組視聴装置１００の本体に当たる全ての構成の起動を開始する（ステップＳ１６）。通常、内部で稼働するＯＳや外部デバイスが使用可能状態になるには然るべき時間を要するのが普通である。このため起動を指示した後、所定の待ち時間を設ける（ステップＳ１７）。
【００５０】
その後、本体の起動が完了したか否かを判定し（ステップＳ１８）、この時点で完了しているならば（Ｙｅｓ）、通常の視聴状態となっていることから当該処理フローを終了する。
【００５１】
起動が完了していない場合（Ｎｏ）、ユーザからクイック番組表４００の表示指示があったか否かを判定する（ステップＳ１９）。表示指示がなければ、さらに起動完了を待ちに入る（ステップＳ１７）。
【００５２】
クイック番組表４００の表示指示があったときは（Ｙｅｓ）、クイック番組表描画エンジン部３０６が作成した表示イメージを表示部２０５に表示する（ステップＳ２０）。その後は本体の起動が完了するまで待って当該一連のフローを終了する。
【００５３】
このように構成すると、電子化された番組表を用いて、ユーザが視聴したいと思う番組が選択され、その放送時間ごとに放送する放送局の選局が容易になる。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５５】
【図１】本実施形態にかかる番組視聴システムの一例を示す図である。
【図２】本実施形態にかかる番組視聴装置のブロック構成図の一例を示す図である。
【図３】本実施形態にかかる番組視聴装置の機能ブロック図の一例を示す図である。
【図４】本実施形態にかかる予測視聴番組スケジュール内容の一例を示す図である。
【図５】本実施形態にかかるクイック番組表の一例を示す図である。
【図６】本実施形態にかかる番組視聴装置の電源オフ時の動作フローの一例を示す図である。
【図７】本実施形態にかかる番組視聴装置の電源オン時の動作フローの一例を示す図である。
【符号の説明】
【００５６】
１００・・・番組視聴装置、１０１・・・電子番組表サーバ、１０２・・・ネットワーク、２００・・・チューナ部、２０１・・・復調部、２０２・・・ＤＥＭＵＸ部、２０３・・・デコーダ部、２０４・・・映像処理部、２０５・・・表示部、２０６・・・制御部、２０７・・・メモリ、３００・・・プログラム起動部、３０１・・・番組情報更新部、３０２・・・番組情報データベース、３０３・・・予測情報データベース、３０４・・・予測視聴検索エンジン部、３０５・・・予測視聴番組スケジュール、３０６・・・クイック番組表描画エンジン部
【図１】
2009165059.tif 000003
【図２】
2009165059.tif 000004
【図３】
2009165059.tif 000005
【図４】
2009165059.tif 000006
【図５】
2009165059.tif 000007
【図６】
2009165059.tif 000008
【図７】
2009165059.tif 000009